(57)【要約】【課題】電解水による洗濯兼脱水槽の腐食を防ぐことができる洗濯機を提供すること。【解決手段】洗濯兼脱水槽１０４の側板１０５と洗濯兼脱水槽１０４の開口板１０６の接合部または／および側板１０５と洗濯兼脱水槽１０４の底板１０７の接合部または前記接合部近傍に、洗濯兼脱水槽よりイオン化傾向の大きい金属から成る防食部材を、洗濯兼脱水槽１０４と接触するよう配設する。これによって、洗濯兼脱水槽１０４が電解水に浸漬した際に、洗濯兼脱水槽１０４よりイオン化傾向の大きい金属が優先的に溶出するため、洗濯兼脱水槽１０４の腐食を防ぐことができる。【選択図】図１
2012217499.tif 000002
【特許請求の範囲】
【請求項１】
有底円筒形状の洗濯兼脱水槽と、
電解質溶液を電気分解して塩素を有する電解水を生成する電解装置とを備え、
前記洗濯兼脱水槽は、前記洗濯兼脱水槽の側面部を形成する側板と、前記側板の前端に接合される開口板と、前記側板の後端に接合される底板とを有し、前記側板と前記開口板の接合部または／および前記側板と前記底板の接合部または前記接合部近傍に、前記洗濯兼脱水槽よりイオン化傾向の大きい金属から成る防食部材を、前記洗濯兼脱水槽と接触するよう配設する洗濯機。
【請求項２】
前記防食部材を板状とし、前記洗濯兼脱水槽の円弧に沿って配設した請求項１に記載の洗濯機。
【請求項３】
前記接合部近傍に生じる隙間内に防食部材を配設した請求項２に記載の洗濯機。
【請求項４】
前記洗濯兼脱水槽に駆動手段の動力を伝えるフランジまたは／および洗濯物の偏りを修正するバランサと備え、
前記防食部材は前記フランジまた／および前記バランサを固定する固定部材である請求項１に記載の洗濯機。
【請求項５】
前記洗濯兼脱水槽に駆動手段の動力を伝えるフランジを前記底板に配設し、前記フランジは前記洗濯兼脱水槽よりイオン化傾向の大きい金属から成る請求項１〜４いずれか１項に記載の洗濯機。
【請求項６】
前記防食部材を前記洗濯兼脱水槽の周方向に等間隔で配設し、前記周方向の間隔は、前記洗濯兼脱水槽の回転軸に垂直な面において、電解水を投入する工程における水位とドラムの外周が交わる２点間の弧の長さよりも短いこととした請求項１〜５いずれか１項に記載の洗濯機。
【請求項７】
前記金属に亜鉛を用いる請求項１〜６いずれか１項に記載の洗濯機。
【発明の詳細な説明】
【技術分野】
【０００１】
本発明は、洗濯機もしくは洗濯乾燥機に関する。
【背景技術】
【０００２】
一般の洗濯機においては、回転自在に設置された洗濯兼脱水槽に洗濯物を投入した後、給水手段によって洗濯機外部より洗濯兼脱水槽を収容する外槽または洗濯兼脱水槽に水道水が供給され洗濯が行われる。水道水の供給後、洗濯兼脱水槽を洗濯物が洗濯兼脱水槽壁面に張り付かない程度の低速で回転させ、洗いおよびすすぎが行われる。
【０００３】
さらに、水を電気分解して塩素を有する電解水を生成する装置を洗濯機に搭載し、生成した電解水を水道水に混入して洗濯することにより、洗濯物の除菌を行う方式が提案されている（例えば、特許文献１参照）。
【先行技術文献】
【特許文献】
【０００４】
【特許文献１】特開平７−１８５１８７号公報
【発明の概要】
【発明が解決しようとする課題】
【０００５】
しかしながら、塩素濃度の高い電解水は酸化力が強く、洗濯兼脱水槽を腐食させてしまう可能性がある。特に、洗濯兼脱水槽を構成する部品の接合部近傍に生じる部品間の隙間において、隙間内の酸素濃度は周囲より低くなる。このため、酸素濃淡電池が形成されて腐食が進行しやすくなる。腐食が進行すると洗濯兼脱水槽の強度が低下したり、発生した赤錆が洗濯物へ付着するといった課題があった。
【０００６】
本発明は、前記従来の課題を解決するもので、電解水による洗濯兼脱水槽の腐食を防ぐことができる洗濯機を提供することを目的とする。
【課題を解決するための手段】
【０００７】
前記従来の課題を解決するために、本発明の洗濯機は、有底円筒形状の洗濯兼脱水槽と、電解質溶液を電気分解して塩素を有する電解水を生成する電解装置とを備え、前記洗濯兼脱水槽は、前記洗濯兼脱水槽の側面部を形成する側板と、前記側板の前端に接合される開口板と、前記側板の後端に接合される底板とを有し、前記側板と前記開口板の接合部または／および前記側板と前記底板の接合部または前記接合部近傍に、前記洗濯兼脱水槽よりイオン化傾向の大きい金属から成る防食部材を、前記洗濯兼脱水槽と接触するよう配設するものである。
【０００８】
これによって、洗濯兼脱水槽が電解水に浸漬した際に、洗濯兼脱水槽よりイオン化傾向の大きい卑金属が優先的に溶出するため、犠牲陽極効果が得られ、洗濯兼脱水槽の腐食を防ぐことができる。
【発明の効果】
【０００９】
本発明の洗濯機は、電解水による洗濯兼脱水槽の腐食を防ぐことができるため、より高濃度の電解水を用いることが可能となるため、消臭・除菌効果を向上させることができる。
【図面の簡単な説明】
【００１０】
【図１】本発明の実施の形態１におけるドラム式洗濯機の断面図
【図２】同ドラム式洗濯機の断面図
【図３】本発明の実施の形態２におけるドラム式洗濯機の断面図
【図４】本発明の実施の形態２におけるドラム式洗濯機の４−４線図における断面図
【図５】本発明の実施の形態３におけるドラム式洗濯機の断面図
【図６】同ドラム式洗濯機の側板と底板の接合部を示す断面図
【図７】本発明の実施の形態４におけるドラム式洗濯機の断面図
【図８】本発明の実施の形態５におけるドラム式洗濯機の断面図
【図９】本発明の実施の形態６におけるドラム式洗濯機の断面図
【図１０】同ドラム式洗濯機の１０−１０線図における断面図
【発明を実施するための形態】
【００１１】
第１の発明の洗濯機は、有底円筒形状の洗濯兼脱水槽と、電解質溶液を電気分解して塩素を有する電解水を生成する電解装置とを備え、前記洗濯兼脱水槽は、前記洗濯兼脱水槽の側面部を形成する側板と、前記側板の前端に接合される開口板と、前記側板の後端に接合される底板とを有し、前記側板と前記開口板の接合部または／および前記側板と前記底板の接合部または前記接合部近傍に、前記洗濯兼脱水槽よりイオン化傾向の大きい金属から成る防食部材を、前記洗濯兼脱水槽と接触するよう配設するものである。これにより、洗濯兼脱水槽が電解水に浸漬した際に、洗濯兼脱水槽よりイオン化傾向の大きい卑金属が優先的に溶出するため、犠牲陽極効果が得られ、洗濯兼脱水槽の接合部近傍において発生しやすい腐食を防ぐことができる。
【００１２】
第２の発明は、特に、第１の発明の洗濯機は、前記防食部材を板状とし、前記洗濯兼脱水槽の円弧に沿って配設したものである。これにより、洗濯兼脱水槽と防食部材との接触面積が広くなるため、犠牲陽極による防食範囲が広がり、防食効果を向上できる。
【００１３】
第３の発明は、特に、第２の発明の洗濯機は、前記接合部近傍に生じる隙間内に防食部材を配設したものである。これにより、最も腐食しやすい洗濯兼脱水槽の隙間内に直接卑金属を触れさせることができるため、隙間内の防食効果をより高めることができる。
【００１４】
第４の発明は、特に、第１の発明の洗濯機は、前記洗濯兼脱水槽に前記駆動手段の動力を伝えるフランジまたは／および洗濯物の偏りを修正するバランサと備え、前記防食部材は前記フランジまた／および前記バランサを固定する固定部材であるものである。これにより、洗濯兼脱水槽の接合部近傍の隙間内や洗濯兼脱水槽と他の部品との隙間内に直接卑金属を触れさせることができるため、防食効果をより高めることができる。
【００１５】
第５の発明は、特に、第１〜４のいずれか１つの発明の洗濯機は、前記洗濯兼脱水槽に前記駆動手段の動力を伝えるフランジを前記底板に配設し、前記フランジは前記洗濯兼脱水槽よりイオン化傾向の大きい金属から成るものである。これにより、簡単な構成で洗濯兼脱水槽全体を防食することができる。
【００１６】
第６の発明は、特に、第１〜５のいずれか１つの発明の洗濯機は、前記防食部材を前記洗濯兼脱水槽の周方向に等間隔で配設し、前記周方向の間隔は、前記洗濯兼脱水槽の回転軸に垂直な面において、電解水を投入する工程における水位とドラムの外周が交わる２点間の弧の長さよりも短いこととしたものである。これにより、電解水洗濯中に洗濯兼脱水槽が回転しても、必ず卑金属が電解水に浸漬した状態となるため、少ない防食部材で防食効果を得ることができる。
【００１７】
第７の発明は、特に、第１〜６のいずれか１つの発明の洗濯機の前記金属に亜鉛を用いるものである。これにより、亜鉛イオンが持つ消臭・除菌効果により、消臭・除菌性能を
より向上させることができる。
【００１８】
以下、本発明の実施の形態１および２について、図面を参照しながら説明する。なお、実施の形態によって本発明が限定されるものではない。
【００１９】
（実施の形態１）
図１、２は、本発明の実施の形態１におけるドラム式洗濯機の断面図を示すものである。
【００２０】
図１において、外槽１０２は洗濯機の洗濯機外枠１０１の内部にダンパ１０３により弾性的に支持されている。外槽１０２内には洗濯兼脱水槽であるドラム１０４が回転軸１０４ａを中心に回転自在に配設されている。ドラム１０４は、洗濯物１０８を収納する有底円筒状のものであり、外槽１０２内に、回転軸１０４ａにより回転可能に設けられている。ドラム１０４は、ドラム１０４の側面部を形成する側板１０５と、側板１０５の前端に接合される開口板１０６と、側板１０５の後端に接合される底板１０７とを有している。ドラム１０４の回転軸１０４ａは、ドラム１０４の開口板１０６側から底板側に向かって下向きになるように傾斜している。傾斜角度は、例えば傾斜角度を２０±１５度下向き傾斜させて配置されている。このように回転軸１０４ａを傾斜させることで、大きく屈む姿勢をとることなく洗濯物を取り出せるようになる。
【００２１】
また、回転軸１０４ａを水平方向とした場合に比べ、外槽１０２内に給水された水が背面側に溜まって少ない水量でも深い貯水状態が得られる。なお、給水量や屈む姿勢を考慮しなければ、ドラム１０４は水平であってもよいし、傾斜角度が５度未満であってもよい。
【００２２】
ドラム１０４の周壁には複数の小孔１０９を設け、外槽１０２内とドラム１０４内とは通水および通気ができるようになっている。ドラム１０４内の周壁には洗濯物１０８を効率的に持ち上げるためのバッフル１１０が設けられている。外槽１０２の外部に設けた駆動手段１１１は、ドラム１０４を回転駆動するもので、正逆回転できるようになっている。駆動手段１１１の動力は、ドラム１０４の底板１０７に取り付けられたフランジ１１３およびシャフト１１２によりドラム１０４へ伝えられる。ドラム１０４には、バランサ１１４を設けており、ドラム１０４の回転時に洗濯物１０８の偏りを修正して振動を少なくする。
【００２３】
外槽１０２の開口部はパッキン１１６によって洗濯機外枠１０１と気密構成を確保して連結されている。また、外槽１０２の底部には排水経路１１７を設け、排水経路１１７の途中に排水弁１１８が設けられている。
【００２４】
洗濯機外枠１０１の上部には、切り替え手段である給水切換弁１２０が設けられており、水道水の供給先を第１の給水経路１２１と第２の給水経路１２２とに切り替える。第１の給水経路１２１は、洗剤ケース１１９を通過して外槽１０２に接続されており、外槽１０２に水道水を供給する。第２の給水経路１２２は電解水を生成する電解槽１２３に接続され、さらに電解槽１２３には送水経路１２４により送水ポンプ１２５を介して外槽１０２と接続されている。電解槽１２３は、電解質溶液を電気分解して塩素を有する電解水、例えば次亜塩素酸水を生成する。
【００２５】
側板１０５と底板１０７の接合部には、ドラム１０４よりイオン化傾向の大きい金属から成る防食部材１２６を、ドラム１０４と接触するよう配設している。また、側板１０５と開口板１０６においても同様に、ドラム１０４よりイオン化傾向の大きい金属から成る防食部材１２６を、ドラム１０４と接触するよう配設している。図１に示すように実施の
形態１では、側板１０５と開口板１０６の前記接合部として、開口板１０６とバランサ１１４の間に卑金属を配設している。また、側板１０５と底板１０７の接合部として、底板１０７とフランジ１１３の間に卑金属を配設している。なお、図２のように側板１０５の外周に配設しても同様の効果が得られる。すなわち、接合部とは防食部材１２６が防食効果を発揮しうる範囲であればよいので、防食部材は接合部に直接接触していなくてもよく、接合部付近でもよい。
【００２６】
接合部にドラム１０４よりイオン化傾向の大きい卑金属から成る防食部材１２６を、ドラム１０４と接触するように配設することにより、電解水にドラム１０４が浸漬した際に、ドラム１０４より防食部材１２６が優先的に溶出する。このため、犠牲陽極効果が働きドラム１０４の溶出を防ぐ。このため、ドラム１０４の接合部において発生する腐食を防止することができる。また、より高い塩素濃度の電解水を用いることが可能となるため、消臭・除菌効果を向上させることができる。
【００２７】
また、防食部材１２６には亜鉛を用いるとよい。これにより、溶出した亜鉛イオンが持つ消臭・除菌効果により、消臭・除菌性能をより向上させることができる。なお、防食部材１２６に用いられる金属としては、アルミニウムでもよい。アルミニウムを用いることで、ドラム１０４が極度に重くなることがなく、駆動手段１１１の負荷を低減することができる。
【００２８】
上記構成において動作を説明する。扉１１５を開いてドラム１０４内に洗濯物１０８を投入し、電源スイッチ（図示せず）をオンし、スタートスイッチ（図示せず）を操作して運転を開始させると洗い工程が始まり、給水切換弁１２０が第１の給水経路１２１と連通され、洗剤ケース１１９内に投入された洗剤とともに外槽１０２内に洗濯液が給水される。所定量の給水が終わると、ドラム１０４は駆動手段１１１によって回転駆動され、ドラム１０４内の洗濯物１０８は持ち上げられて水面上に落下する。この落下の際の衝撃により、洗濯物１０８に付着した汚れを落とす。
【００２９】
所定時間が経過し、洗い工程が終了したら、排水弁１１８を開き、洗濯液を洗濯機外枠１０１の外へ排出する。
【００３０】
排水が終了すると、次に脱水が行われる。ドラム１０４を高速で回転させ、洗濯物１０８内に残った洗濯液を排出する。この洗いおよび脱水が行われている間に、給水切換弁１２０を第２の給水経路１２２と連通させ、電解槽１２３に水道水を給水する。そして、電解槽１２３内部の電極（図示せず）に通電し、電解水の生成を行う。
【００３１】
すすぎ工程に入ると、給水切換弁１２０が第１の給水経路１２１と連通され、所定量の水道水が外槽１０２に投入される。給水が終わったら、送水ポンプを駆動させ、電解槽１２３にて生成した電解水の所定量を外槽１０２へ投入する。給水が終わると、ドラム１０４は駆動手段１１１によって回転駆動され、ドラム１０４内の洗濯物１０８は持ち上げられて水面上に落下される。これにより洗濯物１０８に残留した汚れた洗い水や洗剤成分を落とすとともに、洗濯液が電解水との接触を繰り返すことにより、洗濯物の消臭・除菌が行われる。
【００３２】
すすぎ工程が終了したら、ドラム１０４を高速で回転させ、洗濯物１０８内に残った洗濯液を排出する脱水が行われ、洗濯の全工程が終了する。
【００３３】
なお、本発明の実施の形態１においては、すすぎ工程で電解水を投入するものとしたが、洗い工程において電解水を投入してもよい。
【００３４】
なお、本実施の形態ではドラム式洗濯機を例に上げ説明しているが、電解装置を備えた洗濯機の場合、パルセータ攪拌式やアジテータ式などの縦型洗濯機においても同様の効果が得られる。
【００３５】
（実施の形態２）
図３は本発明の実施の形態２におけるドラム式洗濯機の断面図を示すものである。図４は本発明の実施の形態２におけるドラム式洗濯機の４−４線図における断面図を示すもので、図３の４−４線においてドラム２０４を切断し、ドラム２０４の底面側から開口部側を見たドラム２０４の断面図である。実施の形態２のドラム式洗濯機では、防食部材２２６を板状とし、ドラム２０４の円弧に沿って全周に配設している。実施の形態２では、ドラム２０４の側板２０５の外周に防食部材２２６を配設している。その他の構成は、本発明実施の形態１と同様である。
【００３６】
これにより、ドラム２０４と防食部材２２６との接触面積が広くなるため、防食範囲が広がり、防食効果を向上できる。なお、図３には開口板２０６側のみを示しているが、底板側の接合部も同様の構成としてもよい。
【００３７】
（実施の形態３）
図５は本発明の実施の形態３におけるドラム式洗濯機の断面図を示すものである。図６は本発明の実施の形態３におけるドラム式洗濯機の側板と底板の接合部を示す断面図である。実施の形態３のドラム式洗濯機では、防食部材３２６は、側板３０５と開口板３０６との接合部および側板３０５と底板３０７の接合部に生じる隙間３３０内に配設している。その他の構成は、本発明実施の形態２と同様である。
【００３８】
これにより、最も腐食しやすいドラム３０４の隙間３３０内に直接卑金属を触れさせることができるため、隙間３３０内の防食効果をより高めることができる。
【００３９】
（実施の形態４）
図７は本発明の実施の形態４におけるドラム式洗濯機の断面図を示すものである。実施の形態４のドラム式洗濯機では、防食部材は、バランサ４１４やフランジ４１３をドラム４０４に固定している固定部材である。その他の構成は、本発明実施の形態１と同様である。
【００４０】
図７に示すように、側板４０５と開口板４０６の接合部近傍には、固定部材であるビス４２６が配設されており、側板４０５および開口板４０６を介してバランサ４１４を固定している。ビス４２６は、ドラム４０４よりイオン化傾向の大きい卑金属から成る。
【００４１】
防食部材としてビス４２６などの固定部材を用いているので、接合部近傍の隙間内やドラム４０４と他の部品との隙間内に直接卑金属を触れさせることができる。このため、防食効果をより高めることができる。さらに、バランサ４１４等を固定する機能を持たせることもできる。なお、ビス４２６を用いる場合、腐食した際に固定されていたバランサ４１４やフランジ４１３が外れないように、固定部材の一部を防食部材とする方が望ましい。
【００４２】
（実施の形態５）
図８は本発明の実施の形態５におけるドラム式洗濯機の断面図を示すものである。実施の形態５のドラム式洗濯機では、フランジ５１３はドラム５０４よりイオン化傾向の大きい金属から成っている。また、防食部材は、バランサ５１４をドラム５０４に固定している固定部材である。その他の構成は、本発明実施の形態１〜４と同様である。
【００４３】
これにより、側板５０５と底板５０７との隙間には、フランジ５１３による犠牲陽極効果が働き防食できる。ビス５２６とフランジ５１３とのみで防食をした場合には、ドラム５０４後部には新たに防食部材を追加しなくてもよく、より簡単な構成でドラム５０４全体を防食することができる。
【００４４】
なお、側板５０５と底板５０７との接合部近傍の腐食を防ぐために、フランジ５１３とビス５２６との両方を用いる構成としてもよい。このような構成によって、より確実にドラム５０４の腐食を防ぐことができる。また、このような構成において、ビス５２６ではなく金属板などの防食部材を用いても同様の効果が得られる。なお、側板５０５と底板５０７の接合部および側板５０５と開口板５０６の接合部近傍のどちらにも防食部材を配設することとしたが、どちらか一方でもよい。
【００４５】
（実施の形態６）
図９は本発明の実施の形態６におけるドラム式洗濯機の断面図を示すものである。図１０は本発明の実施の形態６におけるドラム式洗濯機の１０−１０線図における断面図を示すもので、図９の１０−１０線においてドラム６０４を切断し、ドラム６０４の底面側から開口部側を見たドラム６０４の断面図であるある。実施の形態６のドラム式洗濯機では、防食部材をドラム６０４の周方向に等間隔で配設している。周方向の間隔は、ドラム６０４の回転軸６０４ａに垂直な面において、電解水を投入する工程における水位とドラム６０４の外周が交わる２点間の弧の長さよりも短くなっている。その他の構成は、本発明実施の形態１〜５と同様である。
【００４６】
すなわち、図１０のように周上の一部に防食部材６２６を配設する。その場合、防食部材６２６はドラム６０４の周方向に等間隔で配設する。その周方向の間隔は、防食部材６２６を通り、回転軸６０４ａに垂直な図９のような断面において、電解水を投入する工程における水位Ｘとドラム６０４の外周が交わる２点間の弧の長さよりも短くする。これによって、電解水による洗濯中にドラム６０４が回転しても、防食部材６２６の一部が電解水に浸漬した状態となるため、少ない防食部材６２６でも防食効果を得ることができる。
【００４７】
ドラム６０４が斜めになっている場合には、側板６０５と開口板６０６との接合部と、側板６０５と底板６０７との接合部とで、防食部材６２６を配設する間隔は異なる。すなわち、ドラム６０４が傾斜している場合には、側板６０５と開口板６０６の接合部の方が、水との接触部が少ない。よって、側板６０５と底板６０７との接合部近傍に配設した防食部材６２６よりも、防食部材６２６の間隔を小さくする必要がある。
【産業上の利用可能性】
【００４８】
以上のように、本発明にかかる洗濯機は、電解水による洗いもしくはすすぎを行っている際に、電解水による洗濯兼脱水槽の腐食を防ぐことができる。このため、高濃度の電解水を用いることができるため、消臭・除菌効果を向上させることができる。
【符号の説明】
【００４９】
１０１  洗濯機外枠
１０２  外槽
１０３  ダンパ
１０４ａ、６０４ａ  回転軸
１０４、２０４、３０４、４０４、５０４、６０４  ドラム（洗濯兼脱水槽）
１０５、２０５、３０５、４０５、５０５、６０５  側板
１０６、２０６、３０６、４０６、５０６、６０６  開口板
１０７、３０７、５０７、６０７  底板
１０８  洗濯物
１０９  小孔
１１０  バッフル
１１１  駆動手段
１１２  シャフト
１１３、４１３、５１３  フランジ
１１４、４１４、５１４  バランサ
１１５  扉
１１６  パッキン
１１７  排水経路
１１８  排水弁
１１９  洗剤ケース
１２０  給水切換弁
１２１  第１の給水経路
１２２  第２の給水経路
１２３  電解槽
１２４  送水経路
１２５  送水ポンプ
１２６、２２６、３２６、６２６  防食部材
３３０  隙間
４２６、５２６  ビス（固定部材）
【図１】
2012217499.tif 000003
【図２】
2012217499.tif 000004
【図３】
2012217499.tif 000005
【図４】
2012217499.tif 000006
【図５】
2012217499.tif 000007
【図６】
2012217499.tif 000008
【図７】
2012217499.tif 000009
【図８】
2012217499.tif 000010
【図９】
2012217499.tif 000011
【図１０】
2012217499.tif 000012